(57)【特許請求の範囲】
【請求項１】
厚み方向で重ねられた複数の板体を備え、
板体は、板本体と、磁石と、係合部とを具備し、
板本体は、直線状に形成された少なくとも一つの直線縁端部を備えると共に、少なくとも一つの直線縁端部に磁石が嵌合された嵌合凹部を備え、
直線縁端部は、板本体の平面方向と平行な線のいずれかと平行な直線状に形成され、嵌合凹部は、直線縁端部側を開放部とし、深さ方向を直線縁端部と板本体の平面方向で交差する方向として凹設され、
磁石は、嵌合凹部に対して、磁石の磁化方向を板本体の表裏面部が対向する厚み方向と同方向として嵌合され、開放部側の縁端部を吸着縁端部とすると共に、磁石の磁化方向で対向する表裏面部を吸着面部とし、  
係合部は、嵌合凹部に凹設された凹部と、凹部と凹凸係合するものであって磁石に突設された凸部とを有し、凹部の凹設方向を板本体の直線縁端部の直線と平行とすると共に、凸部の突設方向を凹部の凹設方向と平行とすることで、磁石を嵌合凹部の開放部から抜けないように保持するものであり、
複数の板体は、厚み方向で重ねられた状態で、複数の板体の夫々の磁石の吸着面部同士の吸着により連結され、
複数の板体の直線縁端部同士が突き合わされた状態で、複数の板体の夫々の磁石の吸着縁端部同士の吸着により連結されていると共に、直線縁端部の突合せ部を中心とする板体の回転時に吸着縁端部同士の吸着により複数の板体の連結状態が維持され、且つ直線縁端部同士を板体の平面方向に離間させる板体同士の分離時に、係合部が磁石を嵌合凹部の開放部から抜けないように保持するようにされていることを特徴とする連結構造体。
【請求項２】
板本体に二つ以上の直線縁端部が備えられていることを特徴とする請求項１に記載の連結構造体。
【請求項３】
直線縁端部と磁石の吸着縁端部とが面一であることを特徴とする請求項１又は２に記載の連結構造体。
【請求項４】
吸着縁端部が開放部から直線縁端部を越えて板本体の平面方向外方へ突出していることを特徴とする請求項１又は２に記載の連結構造体。
【請求項５】
磁石が、該磁石と嵌合凹部との間および凹部と凸部との間に隙間を設けて嵌合されており、隙間は、磁石を深さ方向に沿って移動自在にすると共に、吸着縁端部を開放部に対して出没自在にする幅にされていることを特徴とする請求項１乃至４いずれか１項に記載の連結構造体。
【請求項６】
係合部が２つの凹部及び凸部を備えたものであり、凹部及び凸部は、嵌合凹部側の直線縁端部と直交する線を軸とする線対称形状に形成されていることを特徴とする請求項１乃至５いずれか１項に記載の連結構造体。
【請求項７】
係合部が２つの凹部及び凸部を備えたものであり、凹部及び凸部は、嵌合凹部側の直線縁端部と直交する線を軸として非対称形状に形成されていることを特徴とする請求項１乃至５いずれか１項に記載の連結構造体。
【請求項８】
請求項１乃至７いずれか１項に記載の連結構造体がファイルであって、ファイルは、板体で構成される表紙および裏表紙と、板体で構成され、表紙と裏表紙との間に挿入される台紙とを有し、表紙および裏表紙並びに台紙は、表紙および裏表紙並びに台紙が厚み方向で重ねられた状態で、表紙および裏表紙並びに台紙の夫々の磁石の吸着面部同士の吸着により連結されており、表紙および裏表紙並びに台紙の直線縁端部同士が突き合わされた状態で、表紙および裏表紙並びに台紙の夫々の磁石の吸着縁端部同士の吸着により連結されている共に、表紙および裏表紙並びに台紙の直線縁端部の突合せ部を中心とする回転による開閉動作時に、吸着縁端部同士の吸着により表紙および裏表紙並びに台紙の連結状態が維持されることを特徴とするファイル。
【請求項９】
請求項１乃至請求項７いずれか１項に記載の連結構造体および請求項８に記載のファイルに用いられることを特徴とする板体。
【発明の詳細な説明】
【技術分野】
【０００１】
本発明は、連結構造体およびこの連結構造体からなるファイル並びに連結構造体に用いられる板体に関し、板体同士の連結と分離ができる機能を有する連結構造体およびこの連結構造体からなるファイル並びに連結構造体に用いられる板体に関する。
【背景技術】
【０００２】
表紙および裏表紙（板体）を有するバインダーに、複数の台紙（板体）を着脱自在に閉じ込んだファイル状製品として、アルバム、ルーズリーフ、システム手帳、加除式書籍等が知られている。
このようなファイル状製品における台紙の閉じ込み構造は、下記、非特許文献１にリング式やパイプ式等の閉じ込み構造が記載され、非特許文献２にビス式の閉じ込み構造が記載され、非特許文献３にヒンジ式の閉じ込み構造が記載されている。
【先行技術文献】
【特許文献】
【０００３】
【非特許文献１】グーグル。［令和１年１０月７日検索]、インターネット＜https://www.google.com/search?q=%E3%83%AA%E3%83%B3%E3%82%B0%E5%BC%8F%E3%83%90%E3%82%A4%E3%83%B3%E3%83%80%E3%83%BC&tbm=isch&source=univ&sa=X&ved=2ahUKEwjL9OPhvaLlAhUSGaYKHVnOAdkQsAR6BAgJEAE&biw=1536&bih=760#spf=1571287420451＞
【非特許文献２】ナカバヤシ株式会社。[令和１年１０月７日検索]、インターネット＜https://album-tukurou.com/lesson10/＞
【非特許文献３】竹野株式会社。[令和１年１０月７日検索]、インターネット＜https://www.shop- takeno.net/catalog/item_search.cgi?submode=2&search_category=%83A%83%8B%83o%83%80&search_category2=%83q%83%93%83W%83A%83%8B%83o%83%80＞
【発明の概要】
【発明が解決しようとする課題】
【０００４】
非特許文献１〜非特許文献３の従来技術によると、台紙の増減が自由であると共に、必要に応じて台紙を取り外すことができる。
しかしながら、非特許文献１〜非特許文献３の従来技術では、台紙の増減時や台紙の着脱時において、リングの開閉作業、パイプやビスの着脱作業、台紙の穴をリング、パイプ、ビスに挿通させる作業、ヒンジ同士を連結する針金を抜差しする等の極めて面倒な作業が必要であった。
本発明者は、鋭意研究した結果、板体を確実に保持できる機能を備えると共に、板体の増減や着脱の容易性の向上並びに使用利便性の向上、更には使用自由度の向上を達成し、その上、板体を他の製品として利用するという点に着目して本発明に至ったものである。
【課題を解決するための手段】
【０００５】
前述の課題を解決するために請求項１記載による連結構造体は、厚み方向で重ねられた複数の板体を備え、板体は、板本体と、磁石と、係合部とを具備し、板本体は、直線状に形成された少なくとも一つの直線縁端部を備えると共に、少なくとも一つの直線縁端部に磁石が嵌合された嵌合凹部を備え、直線縁端部は、板本体の平面方向と平行な線のいずれかと平行な直線状に形成され、嵌合凹部は、直線縁端部側を開放部とし、深さ方向を直線縁端部と板本体の平面方向で交差する方向として凹設され、磁石は、嵌合凹部に対して、磁石の磁化方向を板本体の表裏面部が対向する厚み方向と同方向として嵌合され、開放部側の縁端部を吸着縁端部とすると共に、磁石の磁化方向で対向する表裏面部を吸着面部とし、係合部は、嵌合凹部に凹設された凹部と、凹部と凹凸係合するものであって磁石に突設された凸部とを有し、凹部の凹設方向を板本体の直線縁端部の直線と平行とすると共に、凸部の突設方向を凹部の凹設方向と平行とすることで、磁石を嵌合凹部の開放部から抜けないように保持するものであり、複数の板体は、厚み方向で重ねられた状態で、複数の板体の夫々の磁石の吸着面部同士の吸着により連結され、複数の板体の直線縁端部同士が突き合わされた状態で、複数の板体の夫々の磁石の吸着縁端部同士の吸着により連結されていると共に、直線縁端部の突合せ部を中心とする板体の回転時に吸着縁端部同士の吸着により複数の板体の連結状態が維持され、且つ直線縁端部同士を板体の平面方向に離間させる板体同士の分離時に、係合部が磁石を嵌合凹部の開放部から抜けないように保持するようにされていることを特徴とする。
【０００６】
また、前述の課題を解決するために請求項８記載によるファイルは、連結構造体がファイルであって、ファイルは、板体で構成される表紙および裏表紙と、板体で構成され、表紙と裏表紙との間に挿入される台紙とを有し、表紙および裏表紙並びに台紙は、表紙および裏表紙並びに台紙が厚み方向で重ねられた状態で、表紙および裏表紙並びに台紙の夫々の磁石の吸着面部同士の吸着により連結されており、表紙および裏表紙並びに台紙の直線縁端部同士が突き合わされた状態で、表紙および裏表紙並びに台紙の夫々の磁石の吸着縁端部同士の吸着により連結されている共に、表紙および裏表紙並びに台紙の直線縁端部の突合せ部を中心とする回転による開閉動作時に、吸着縁端部同士の吸着により表紙および裏表紙並びに台紙の連結状態が維持されることを特徴とする。
【０００７】
また、前述の連結構造体およびファイルに用いられることを特徴とする板体である。
【発明の効果】
【０００８】
このような特徴を有することで本発明は、板体を確実に保持できる機能を備えると共に、板体の増減や着脱の容易性の向上並びに使用利便性の向上、更には使用自由度の向上を達成し、その上、板体を他の製品として利用することができる。
【図面の簡単な説明】
【０００９】
【図１】本発明に係る連結構造体を構成する板体の正面図である。
【図２】図１において磁石周りを拡大して示す拡大図であり、（ａ）は磁石が嵌合凹部に嵌合された状態を示し、（ｂ）は（ａ）の分解図である。
【図３】図２（ａ）の（３）-（３）線拡大断面図である。
【図４】板体の磁石の配置例を説明する説明図であり、第１直線縁端部から見た図である。
【図５】（ａ）〜（ｄ）は、磁石および係合部の変形例を示す拡大正面図である。
【図６】（ａ）〜（ｃ）は、磁石および係合部の他の変形例を示す拡大正面図である。
【図７】本発明に係る実施形態のファイルの正面図であり、（ａ）は閉じた状態を示し、（ｂ）は開いた状態を示す。
【図８】（８ａ）は図７（ａ）の（８ａ）‐（８ａ）線拡大断面図であり、（８ｂ）は図７（ｂ）の（８ｂ）‐（８ｂ）線拡大断面図である。
【図９】本発明に係る一実施形態の連結構造体の斜視図である。
【図１０】図９の連結構造体に用いられる板体の平面図である。
【発明を実施するための形態】
【００１０】
以下、図面を参照して本発明に係る実施形態の連結構造体の一例であるファイルＢを説明する。
以下の説明で、異なる図における同一符号は同一機能の部位を示しており、各図における重複説明は適宜省略する。
また、本実施形態で例示する連結構造体の板体Ａ（図１〜図５参照）は、アルバム用の表紙および裏表紙並びに表紙と裏表紙との間に挿入される台紙、ノート型および立体型ホワイトボード、ルーズリーフおよびシステム手帳並びに加除式書籍等の用紙、更には、ショーケース、ディスプレイラック、ウエルカムボード、各種ボックス、立体構造の教育ツール、家具、棚、ごみ箱、スタンド、カバー等の立体的な各種製品、パソコンやスマホ等の折りたたみ機構等に適用できる。
ファイルＢ（図７、図８参照）は、アルバム、ノート型ホワイトボード、ルーズリーフおよびシステム手帳並びに加除式書籍等の各種製品が例示できる。
最初に、図１〜図４に基づいて板体Ａの構成を説明する。
【００１１】
[板体の構成]
板体Ａは、図１〜図４に示すように、平面長方形の板本体１と、板本体１に嵌合された磁石２ａ、２ｂと、板本体１に対する磁石２ａ、２ｂの嵌合状態を保持する係合部３とを備えている。
この板体Ａは、複数の板体Ａを厚み方向で重ねられ、重なり合う板体Ａの互いの磁石２ａ、２ｂ同士の磁力によって、板体Ａ同士が重なり合った状態を保持できるものであると共に、磁力に抗して板体Ａ同士を分離できるものであり、後述するファイルＢおよび立体連結構造体Ｃとして使用できる。
【００１２】
板本体１は、紙材や合成樹脂材、更には木板材、金属板材を用いて所定の大きさに切断加工されたものであり、図１〜図３に示すように、四方に直線縁端部１０〜１３を有しており、図示において左側の直線縁端部（以下、「第１直線縁端部」という）１０の上下２か所に設けられた嵌合凹部４ａ、４ｂに、夫々磁石２ａ、２ｂが嵌合保持されている。
板本体１は、写真の貼り付けや文字や絵の書き込みができるようにされている。
板本体１への書き込み形態においては、ホワイトボードやカラーボードのように、拭くことで消すことができるインクを用いたホワイトボードマーカーで書き込みができる形態や消せるボールペンを含む他の筆記具を用いて書き込みができる形態が例示できる。
板本体１の形状については、長方形に限らず、図１０に示すように、正方形、三角形、六角形等、板体Ａの使用目的に対応した様々な形状が含まれ、また、ひとつの線縁端部を有し、他の縁を円弧状とするとした形状（図示せず）も含まれる。
また、磁石２ａ、２ｂを嵌合する嵌合凹部４ａ、４ｂは、第１直線縁端部１０を含む選択された二つ以上の直線縁端部に設けてもよく、板体Ａが用いられる各種製品を形成するために必要な直線縁端部に設ければよい。
【００１３】
磁石２ａ、２ｂは、図１〜図４に示すように、板本体１の表裏面部が対向する厚み方向と磁化方向が同方向となる磁石２ａ、２ｂの夫々の表面および裏面を吸着面部２０ａ、２０ｂ、２１ａ、２１ｂとし、嵌合凹部４ａ、４ｂの開放部４０ａ、４０ｂ側の縁端部を吸着縁端部２２ａ、２２ｂとして配置されている。
また、磁石２ａ、２ｂは、図２および図４に示すように、板本体１の表面部１ａと面一の磁石２ａの吸着面部２０ａ側をＮ極とし、板本体１の表面部１ａと面一の磁石２ｂの吸着面部２０ｂ側をＳ極としており、板体Ａの表裏における同一面において、上下方向でＮ極とＳ極とが互い違いに配置されている。
すなわち、図４に示すように、板体Ａを重なり合わせる際の板体Ａの磁石２ａは、板本体１の表面部１ａ側の吸着面部２０ａがＮ極であるとき、板本体１の裏面部１ｂ側の吸着面部２０ｂがＳ極となり、磁石２ｂの磁極が磁石２ａと反対になる。
したがって、板体Ａを重なり合わせたときには、図４に示すように、一方の板体（図示において厚み方向上側）Ａの磁石２ａのＳ極および磁石２ｂのＮ極が、他方の板体Ａの磁石２ａのＮ極および磁石２ｂのＳ極に対して夫々対面することになり、これによって、一方の板体Ａと他方の板体Ａの磁石２ａ、２ｂを互いの磁力で吸着されて連結された状態にすることができる（図８（ａ）（ｂ）参照）。
また、図４に示すように、一方の板体Ａを裏返したとき（仮想線で示す板体Ａ）、裏返した一方の板体Ａの磁石２ｂのＳ極および磁石２ａのＮ極が、他方の板体Ａの磁石２ａのＮ極および磁石２ｂに対して夫々対面することになり、これによって、一方の板体Ａと他方の板体Ａの磁石２ａ、２ｂを互いの磁力で吸着されて連結された状態にすることができる（図８（ａ）（ｂ）参照）。
更に、図８（ａ）に示すように、一方の板体Ａの第１直線縁端部１０を中心として３６０度回転させたとき、回転させた一方の板体Ａの磁石２ｂのＳ極および磁石２ａのＮ極が、他方の板体Ａの磁石２ａのＮ極および磁石２ｂに対して夫々対面することになり、これによって、一方の板体Ａと他方の板体Ａの磁石２ａ、２ｂを互いの磁力で吸着されて連結された状態にすることができる。
したがって、重なり合った一方又は他方の板体Ａを裏返したり、一方又は他方の板体Ａを回転させても、必ず、Ｓ極とＮ極とを対面させることができるため、板体Ａの表裏に関わりなく複数の板体Ａ重ね合わせることができると共に、磁石２ａ、２ｂ同士の磁力による吸着力によって連結することができる。
尚、磁石２ａ、２ｂは、２個以上の偶数個であって、板本体１の同一面上で、Ｓ極とＮ極とが互い違いとすることで、板体Ａの裏返しおよび第１直線縁端部１０を中心とする３６０度の回転において、磁石２ａ、２ｂ同士の吸着ができる。
また、磁石２ａ、２ｂは、１個以上の奇数個である場合、板体Ａの裏返しが負荷であるが、第１直線縁端部１０を中心とする３６０度の回転において、磁石２ａ、２ｂ同士の吸着ができる。
また、磁石２ａ、２ｂが１個以上の奇数個であっても、同一面に第１直線縁端部１０方向でＳ極とＮ極とを有する磁石２ａ、２ｂであれば、板体Ａの裏返しおよび第１直線縁端部１０を中心とする３６０度の回転において、磁石２ａ、２ｂ同士の吸着ができる。
【００１４】
板本体１の表面部１ａおよび裏面部１ｂには、図１〜図３に示すように、磁石２ａ、２ｂおよび嵌合凹部４ａ、４ｂを隠すと共に、磁石２ａ、２ｂが嵌合凹部４ａ、４ｂの表裏方向からの抜け落ちを防ぐための粘着テープ１００（仮想線で示す）が貼り付けられている。
粘着テープ１００は、磁石２ａ、２ｂおよび嵌合凹部４ａ、４ｂを隠せる程度の幅を有しており、板本体１の上下方向に沿って貼り付けられている。
本実施形態では、粘着テープ１００を板本体１の表面部１ａおよび裏面部１ｂに夫々貼り付けた構成としているが、粘着テープ１００は、板本体１の表面部１ａから裏面部１ｂにわたって巻き込むように貼り付けた構成としてもよい。
嵌合凹部４ａ、４ｂに嵌合された磁石２ａ、２ｂの保持は、粘着テープ１００によるものに限らず、嵌合凹部４ａ、４ｂに対して磁石２ａ、２ｂを接着剤によって固定する構成としてもよい。
この場合、磁石２ａ、２ｂの吸着面部２０ａ、２０ｂ、２１ａ、２１ｂの色を、板本体１の表面部１ａおよび裏面部１ｂと同じ色にすることで、板本体１上での磁石２ａ、２ｂの存在を目立たなくすることができる。
逆に異なる色にすることで、板本体１上での板本体１上での磁石２ａ、２ｂの存在を目立たせることができる。
これによって、板本体１の上において磁石２ａ、２ｂの存在を隠すことによる意匠性の向上という効果が期待でき、逆に磁石２ａ、２ｂの存在を目立たせることによる意匠性の向上が期待できる。
【００１５】
［磁石と嵌合凹部との嵌合構成］
本実施形態における磁石２ａ、２ｂは、嵌合凹部４ａ、４ｂに対して適合して嵌合されており、係合部３による係合によって、嵌合凹部４ａ、４ｂの開放部４０ａ、４０ｂからの磁石２の抜けを防いでいる。
【００１６】
［嵌合凹部の構成］
嵌合凹部４ａ、４ｂは、図１〜図３に示すように、板本体１の第１直線縁端部１０側を開放部４０ａ、４０ｂとし、開放部４０ａ、４０ｂから第１直線縁端部１０の直線方向と板本体１の平面方向で直交する方向に沿って、板本体１の平面方向で対向する図示において右側の他方の縁端部（以下、「第２直線縁端部」という）１１へ向かうと共に、板本体１の表裏を貫くように凹設されている。
嵌合凹部４ａ、４ｂは、図２に示すように、係合部３の一方を構成する凹部３０が形成されており、嵌合凹部４ａ、４ｂと凹部３０とで、開放部４０ａ、４０ｂ側を上底とし、嵌合凹部４ａ、４ｂの底部４３ａ、４３ｂを下底とする平面視台形状を呈するように形成されている。
【００１７】
［磁石の構成］
磁石２ａ、２ｂは、図１〜図３に示すように、嵌合凹部４ａ、４ｂの平面形状と同じように、平面視台形を呈するように形成されている。
磁石２ａ、２ｂは、図１〜図３に示すように、嵌合凹部４ａ、４ｂに対して、吸着縁端部２２ａ、２２ｂが開放部４０ａ、４０ｂから望むように嵌合されており、吸着縁端部２２ａ、２２ｂが板本体１の第１直線縁端部１０と面一となる。
これにより、磁石磁石２ａ、２ｂの吸着縁端部２２ａ、２２ｂ同士が確実に接触するため、磁力の減衰を抑えることができる。
また、磁石２ａ、２ｂの吸着縁端部２２ａ、２２ｂは、開放部４０ａ、４０ｂからわずかに突出させていてもよく、これによっても、磁石２ａ、２ｂの吸着縁端部２２ａ、２２ｂ同士を確実に接触させることができる。
また、磁石２ａ、２ｂは、図３に示すように、吸着面部２０ａ、２０ｂ、２１ａ、２１ｂが、板本体１の表面部１ａおよび裏面部１ｂと厚み方向で同じ方向を向くように嵌合されており、磁化方向の厚みが板本体１の表面部１ａおよび裏面部１ｂと面一となるようにされている。
【００１８】
吸着面部２０ａ、２０ｂ、２１ａ、２１ｂは、図１〜図３に示すように、粘着テープ１００によって隠されているが、嵌合凹部４ａ、４ｂに対しては、嵌合凹部４ａ、４ｂの表裏に生じる表裏側開放部４１ａ、４２ａ、４１ｂ、４２ｂから望んでおり、粘着テープ１００越しに磁力が作用するようにされている。
磁石２ａ、２ｂは、図２に示すように、係合部３の他方を構成する凸部３１が形成されており、磁石２ａ、２ｂと凸部３１とで、嵌合凹部４ａ、４ｂと適合して嵌合する平面視台形状を呈するように形成されている。
【００１９】
このような磁石２ａ、２ｂを嵌合凹部４ａ、４ｂに嵌合するには、嵌合凹部４ａ、４ｂの表裏に生じる表裏側開放部４１ａ、４１ｂ（又は表裏側開放部４２ａ、４２ｂ）から挿入することで嵌合することができる。
本実施形態で用いられる磁石は、磁力が強いネオジウム（ネオジム）磁石が好ましい。
【００２０】
［係合部の構成］
係合部３は、図２（ａ）に示すように、凹部３０と凸部３１とを備え、凹部３０と凸部３１との凹凸係合による構成である。
凹部３０は、図２（ｂ）に示すように、嵌合凹部４ａ、４ｂの開放部４０ａ、４０ｂから底部４３ａ、４３ｂに向かう斜面４４ａ、４４ｂを含み、底部４３ａ、４３ｂから第１直線縁端部１０の上下方向と平行な方向に沿い、且つ上下両方向に向かって凹設された範囲（太線および破線で囲まれた範囲）に設定されている。
また、上下２つの凹部３０は、嵌合凹部４ａ、４ｂ側の第１直線縁端部１０と直交する直線縁端部１２と平行な線Ｌ１を軸として上下方向で対称形状となるように形成されている。
上下二つの凸部３１は、図２（ｂ）に示すように、直線縁端部１２と平行な線Ｌ１を軸として上下方向で対称形状となるように形成されている。
また、上下二つの凸部３１は、それぞれ対応する凹部３０に適合して嵌り合うように、磁石２ａ、２ｂの吸着縁端部２２ａ、２２ｂから底部２３ａ、２３ｂに向かう斜面２４ａ、２４ｂを含み、底部２３ａ、２３ｂから第１直線縁端部１０の上下方向と平行な方向に沿い、且つ上下両方向に向かって突設された範囲（太線および破線で囲まれた範囲）に設定されている。
この係合部３は、図２（ａ）に示すように、磁石２ａ、２ｂを嵌合凹部４ａ、４ｂに嵌合したとき、これと同時に、凹部３０と凸部３１とが係合する。
そして、図２（ａ）に示すように、嵌合凹部４ａ、４ｂに磁石２ａ、２ｂを嵌合することによって、凹部３０と凸部３１とが凹凸係合し、この凹凸係合によって、嵌合凹部４ａ、４ｂの開放部４０ａ、４０ｂからの磁石２ａ、２ｂの抜けを防ぐことができる。
したがって、磁石２ａ、２ｂの吸着縁端部２２ａ、２２ｂが吸着された状態で、連結板体Ａ同士を引き離す方向の力が作用しても、係合部３の係合によって、磁石２ａ、２ｂを嵌合凹部４ａ、４ｂに対して抜けないように保持できる。
【００２１】
[係合部の変形例]
前述した係合部３の変形例として、図５（ａ）〜（ｄ）に挙げる係合部３Ａ〜係合部３Ｄが提案できる。
本変形例においては、嵌合凹部４ａ側と嵌合凹部４ｂ側の係合部３Ａ〜係合部３Ｄが同じ構成を有するものであるので、嵌合凹部４ａ側における係合部３Ａ〜係合部３Ｄを説明する。
また、図５（ａ）〜（ｄ）に挙げる係合部３Ａ〜係合部３Ｄの凹部３０及び凸部３１は、係合部３と同様に二つあり、且つ線Ｌ１を軸として上下方向で対称となる形状として形成されている。
【００２２】
図５（ａ）に示す係合部３Ａは、凹部３０を含んで平面視凸形状を呈するように形成された嵌合凹部４ａと、凸部３１を含んで嵌合凹部４ａの平面形状と同じ平面視凸形状を呈するように形成された磁石２ａとに設定されている。
凹部３０は、凸形状の先端に対応する部位である開放部４０ａから底部４３ａに向かう側縁端部４５ａの中途に、第１直線縁端部１０の上下方向と平行な方向に沿い、且つ嵌合凹部４ａの外側に向かって凹設された範囲（太線および破線で囲まれた範囲）に設定されている。
磁石２ａは、凸形状の先端に対応する部位である吸着縁端部２２ａから底部２３ａに向かう側縁端部２４ａの中途から板本体１の第１直線縁端部１０の上下方向と平行な方向に沿い、且つ上下両方向に向かって突設された範囲（太線および破線で囲まれた範囲）に設定されている。
このような係合部３Ａによっても、嵌合凹部４ａに磁石２ａを嵌合することによって、凹部３０と凸部３１とが凹凸係合し、この凹凸係合によって、嵌合凹部４ａの開放部４０ａからの磁石２ａの抜けを防ぐことができる。
【００２３】
図５（ｂ）に示す係合部３Ｂは、嵌合凹部４ａと磁石２ａとに夫々凹部３０および凸部３１を設けたものであり、凹部３０および凸部３１を含む嵌合凹部４ａと磁石２ａの平面形状が同じになるように形成されている。
嵌合凹部４ａ側の凹部３０は、開放部４０ａから底部４３ａに向かう側縁端部４５ａの中途に、嵌合凹部４ａの内側へ突出するように凸部３１を突設することで形成されており、嵌合凹部４ａに凹設された凹部３０と突設された凸部３１の範囲（太線および破線で囲まれた範囲）に設定されている。
磁石２ａ側の凹部３０および凸部３１は、吸着縁端部２２ａから底部２３ａに向かう側縁端部２４ａの中途に、磁石２ａの内側に向かって凹部３０を凹設することで、凸部３１が形成されており、磁石２ａに凹設された凹部３０と突設された凸部３１の範囲（太線および破線で囲まれた範囲）に設定されている。。
磁石２ａの凹部３０および凸部３１は、夫々嵌合凹部４ａ側の凹部３０および凸部３１に適合する形状に形成されていると共に、凹凸係合できる位置に設定され、嵌合凹部４ａ側の凹部３０および凸部３１と磁石２ａ側の凹部３０および凸部３１とが適合して凹凸係合するようにされている。
このような係合部３Ｂによっても、嵌合凹部４ａに磁石２ａを嵌合することによって、凹部３０と凸部３１とが凹凸係合し、この凹凸係合によって、嵌合凹部４ａの開放部４０ａからの磁石２ａ、２ｂの抜けを防ぐことができる。
【００２４】
図５（ｃ）に示す係合部３Ｃは、凹部を含むと共に、直線状の開放部４０ａを除いて平面視円弧状に凹設された嵌合凹部４ａと、凸部３１を含んで嵌合凹部４ａの平面形状と同じ平面視円弧状を呈するように形成された磁石２ａとに設定されている。
凹部３０は、直線状の開放部４０ａの上下の端部から板本体１の第１直線縁端部１０の上下方向に沿って外側に向かって円弧状に凹設された範囲（太線および破線で示す範囲）に設定されている。
凸部３１は、直線状の吸着縁端部２２ａの端部から板本体１の第１直線縁端部１０の上下方向に沿って外側に向かって円弧状に突設された範囲（太線および破線で示す範囲）に設定されている。
このような係合部３Ｃによっても、凹部３０と凸部３１とが凹凸係合しているので、嵌合凹部４ａの開放部４０ａからの磁石２ａの抜けを防ぐことができる。
【００２５】
図５（ｄ）に示す係合部３Ｄは、前述の係合部３と同じように、凹部３０を含んで平面視台形を呈するように形成された嵌合凹部４ａと、凸部３１を含んで平面視台形を呈するように形成された磁石２ａに設定されている。
本実施形態では、凹部３０を含む嵌合凹部４ａの平面形状が、凸部３１を含む磁石２ａの平面形状よりも一回り大きい形状となるように形成され、これによって、凹部３０を含む嵌合凹部４ａと凸部３１を含む磁石２ａとの間に隙間Ｓが確保されている。
隙間Ｓの幅は、嵌合凹部４ａの開放部４０ａから磁石２ａの吸着縁端部２２ａがわずかに突出すると共に、開放部４０ａから出没する程度に設定されていると共に、嵌合凹部４ａの開放部４０ａから磁石２ａが抜けない程度に設定されている。
このような係合部３Ｄによっても、凹部３０と凸部３１とが凹凸係合しているので、嵌合凹部４ａの開放部４０ａからの磁石２ａの抜けを防ぐことができる。
【００２６】
しかも、磁石２ａの吸着縁端部２２ａを開放部４０ａから突出させることができると共に、開放部４０ａから出没させることができる。
すなわち、２枚の板体Ａの第１直線縁端部１０同士を突き合わせて連結する際に、互いの磁石２ａ自身の磁力によって吸着縁端部２２ａが突出し、突出した状態で吸着されて連結されるため、板体Ａの第１直線縁端部１０に阻害されることなく、磁石２ａの吸着縁端部２２ａ同士を吸着させることができる。
また、連結された板体Ａを第１直線縁端部１０同士が近づく方向に移動させれば、突出した磁石２ａの吸着縁端部２２ａが嵌合凹部４ａ内に収められるので、板体Ａ同士の突合せ部分の隙間をなくすことができる。
また、重ね合わせた板体Ａを開閉する際にも、開閉する力によって磁石２ａの吸着縁端部２２ａが突出し、互いの吸着縁端部２２ａが吸着した状態で板体Ａを開閉することができる。
本実施形態の場合、磁石２ａに対して粘着テープ１００の粘着力が作用しないようにすることにより、開口部４０ａから磁石２ａの吸着縁端部２２ａを出没させることができる。
【００２７】
開口部４０ａから磁石２ａの吸着縁端部２２ａを出没させるために、凹部３０を含む嵌合凹部４ａと凸部３１を含む磁石２ａとの間に隙間Ｓを確保した形態は、係合部３Ａ〜係合部３Ｃを備えた嵌合凹部４ａおよび磁石２ａにも適用できる（図示せず）。
また、磁石２ａの吸着縁端部２２ａの突出状態を保持されているものとしてもよいし、磁石２ａの吸着縁端部２２ａが開放部４０ａよりもわずかに第２直線縁端部１１側に位置させたものとしてもよい（図示せず）。
磁石２ａの吸着縁端部２２ａが開放部４０ａよりもわずかに第２直線縁端部１１側に位置させた場合、磁石２ａにおける吸着縁端部２２ａが、突き合わされた板体Ａの第１直線縁端部１０同士の連結状態を保持できる吸着力が作用する程度とする。
【００２８】
[係合部の他の変形例]
図６（ａ）〜（ｃ）は、他の変形例の係合部３Ｅ〜３Ｇの構成を示している。
本変形例では、二つの嵌合凹部４ａ、４ｂを備えた板体Ａを用いたものであり、嵌合凹部４ａ、４ｂには、それぞれ係合部３Ｅ〜係合部３Ｇが設けられている。
係合部３Ｅ〜係合部３Ｇの凹部３２、３２ａ及び凸部３３、３３ａは、係合部３と同様に二つあり、且つ線Ｌ１を軸として上下方向で非対称となる形状に形成されている。
【００２９】
図６（ａ）に示す係合部Ｅは、嵌合凹部４ａの上側の係合部３Ｅの凹部３２及び凸部３３を互いに同じ形状の平面視略直角三角形に形成し、嵌合凹部４ａの下側の係合部３Ｅの凹部３２ａ及び凸部３３ａを互いに同じ形状の平面視略二等辺三角形に形成することで、凹部３２及び凸部３３と凹部３２ａ及び凸部３３ａとを、線Ｌ１を軸として上下方向で非対称形状にしている。
嵌合凹部４ａの下側に配置された嵌合凹部４ｂは、嵌合凹部４ａに対して平行な線（図示せず）を軸として上下方向で線対称となる形状として設けられており、嵌合凹部４ｂの上側に係合部３Ｅの凹部３２ａ及び凸部３３ａが位置し、下側に凹部３２及び凸部３３が位置するようにされている。
【００３０】
図６（ｂ）に示す係合部Ｆは、嵌合凹部４ａの上側の係合部３Ｆの凹部３２及び凸部３３を互いに同じ形状であり、頂点を上向きとする平面視略二等辺三角形に形成し、嵌合凹部４ａの下側の係合部３Ｆの凹部３２ａ及び凸部３３ａを互いに同じ形状であり、頂点を斜め上向きとする平面視略二等辺三角形に形成することで、凹部３２及び凸部３３と凹部３２ａ及び凸部３３ａとを、線Ｌ１を軸として上下方向で非対称形状にしている。
嵌合凹部４ａの下側に配置された嵌合凹部４ｂは、嵌合凹部４ａに対して平行な線（図示せず）を軸として上下方向で線対称となる形状として設けられており、嵌合凹部４ｂの上側に係合部３Ｆの凹部３２ａ及び凸部３３ａが位置し、下側に凹部３２及び凸部３３が位置するようにされている。
【００３１】
図６（ｃ）に示す係合部Ｇは、嵌合凹部４ａの上側の係合部３Ｇの凹部３２及び凸部３３を互いに同じ形状の平面視略半円形に形成し、嵌合凹部４ａの下側の係合部３Ｇの凹部３２ａ及び凸部３３ａを互いに同じ形状の平面視略二等辺三角形に形成することで、凹部３２及び凸部３３と凹部３２ａ及び凸部３３ａとを上下方向で非対称にしている。
嵌合凹部４ａの下側に配置された嵌合凹部４ｂは、嵌合凹部４ａ嵌合凹部４ａに対して平行な線（図示せず）を軸として上下方向で線対称となる形状として設けられており、嵌合凹部４ｂの上側に係合部３Ｇの凹部３２ａ及び凸部３３ａが位置し、下側に凹部３２及び凸部３３が位置するようにされている。
【００３２】
これらの係合部Ｅ〜Ｇによっても、凹部３２、３２ａと凸部３３、３３ａとが凹凸係合しているので、嵌合凹部４ａ、４ｂの開放部４０ａ、４０ｂからの磁石２ａ、２ｂの抜けを防ぐことができる。
【００３３】
本変形例においては、図６（ａ）〜（ｃ）に示すように、嵌合凹部４ａ、４ｂ側の凹部３２と凹部３２ａ及び磁石２ａ、２ｂ側の凸部３３と凸部３３ａとをそれぞれ上下方向で非対称としており、磁石２ａ、２ｂを嵌合凹部４ａ、４ｂに適合させて嵌合すると、自動的に嵌合凹部４ａに嵌合された磁石２ａは図面上表側がＮ極となり、嵌合凹部４ｂに嵌合された磁石２ｂは図面上表側がＳ極となる。
すなわち、磁石２ａ、２ｂを嵌合凹部４ａ、４ｂに適合させて嵌合することで、自動的に表側及び裏側において上下方向でＮ極とＳ極が交互となるため、板体Ａの製造時において磁石２ａ、２ｂの磁極方向を簡単に把握できると共に、磁石２ａ、２ｂを所定の磁極方向として簡単・確実に取付けることができる。
【００３４】
［ファイルの構成］
次に、前述の板体Ａを用いたファイルＢの構成を図７および図８に基づいて説明する。
ファイルＢは、表紙Ａ１と、裏表紙Ａ２と、複数の台紙Ａ３とで構成されたアルバムとして利用できるものであり、表紙Ａ１および裏表紙Ａ２並びに複数の台紙Ａ３は、板体Ａの構成を有している。
ファイルＢは、厚み方向で対向する表紙Ａ１と裏表紙Ａ２との間に、厚み方向で重なり合わせた複数の台紙Ａ３が挿入されている。
【００３５】
表紙Ａ１と台紙Ａ２および裏表紙Ａ２と台紙Ａ３並びに台紙Ａ３同士は、前述のように連結用板体Ａの同一面において、Ｎ極とＳ極が互い違いにされた磁石２ａ、２ｂにおける吸着面部２０ａと吸着面部２０ｂ同士および吸着面部２１ａと吸着面部２１ｂ同士がの磁力による吸着によって連結されている。
【００３６】
このようなファイルＢによると、表紙Ａ１および裏表紙Ａ２並びに複数の台紙Ａ３は、連結用板体Ａの構成を有しているため、磁石２ａ、２ｂの磁力によって閉じられた状態を保持できると共に、表紙Ａ１や台紙Ａ３を開く際にも、磁石２ａ、２ｂの磁力によって、表紙Ａ１および裏表紙Ａ２並びに台紙Ａ３を保持することができる。
また、台紙Ａ３の着脱および増減や表紙Ａ１および裏表紙Ａ２の着脱および交換等が極めて簡単にできる。
また、前述のように台紙Ａ３を裏返したり、第１直線縁端部１０を中心として台紙Ａ３を回転させたりすることができるため、ファイルＢの使用目的に対応させた様々な形態で使用できる。
したがって、ファイルＢは、表紙Ａ１および裏表紙Ａ２並びに台紙Ａ３の連結状態を確実に保持できる機能を備えているため、着脱容易性および使用における自由度の向上が期待できる。
【００３７】
[板体の他の使用例]
次に、前述の板体Ａを用いた他の使用例である立体連結構造体Ｃの構成を図９および図１０に基づいて説明する。
立体連結構造体Ｃは、図９に示すように、正方形に形成された板体Ａを複数枚用いて立方体の箱状に形成した立体型ホワイトボードとしたものでり、表面側の全ての面が筆記面として使用できるようになっている。
ここで用いられる板体Ａは、図１０に示すように、全ての第１直線縁端部１０〜第４直線縁端部１３に、磁石２ａ、２ｂが備えられており、この板体Ａを６枚用いて、各板体Ａの磁石２ａ、２ｂ同士を接触させることで、図８に示すような立方体に組み立てることができる。
また、立方体の箱状に組み立てられた組立式の立体連結構造体Ｃは、立体型ホワイトボードとして使用できると共に、選択された一枚の板体Ａを蓋とするボックス型容器や撮影ボックスとしても兼用できる。
また、立体連結構造体Ｃは、板体Ａを同一平面上に並べて連結することで、筆記面が広い一枚の平面連結型ホワイトボードとして利用することができると共に、筆記面が不足すれば、板体Ａを足していくことによって筆記面を増やすことができる（図示せず）。
【００３８】
立体連結構造体Ｃの他の立体形態としては、正方形の板体Ａと長方形の板体Ａの組み合わせによる角柱状に形成した形態、三角形の板体Ａと長方形の板体Ａの組み合わせによる三角柱に形成した形態、六角形の板体Ａと長方形の板体Ａの組み合わせによる六角柱に形成した形態等が例示できる（図示せず）。
その他にも、多様な形状の板体Ａを組み合わせることによって、様々な立体形状および平面形状の立体連結構造体Ｃを構成することができる。
具体的には、立体連結型および平面連結型ホワイトボード、ショーケース、ディスプレイラック、ウエルカムボード、パーティション、撮影ボックス、各種ボックス、立体構造および平面構造の教育ツール、家具、棚、ごみ箱、スタンド、カバー、ショーケース、ディスプレイラック等の各種製品に適用できる。
【００３９】
以上の構成とする連結構造体(ファイルＢ、立体連結構造物Ｃ)によれば、複数の板体Ａの連結状態を確実に保持できる機能を備えると共に、板体Ａの増減や着脱の容易性の向上並びに使用形態の自由度の向上を達成し、その上、板体Ａを他の各種製品として広く利用することができる。
【００４０】
以上、本発明に係る実施形態の連結構造体(ファイルＢ、立体連結構造物Ｃ)を、図面を参照して詳述してきたが、具体的な構成は、これらの実施の形態に限られるものではなく、本発明の要旨を逸脱しない範囲の設計の変更等があっても本発明に含まれる。
また、前述の各実施形態は、その目的および構成等に特に矛盾や問題がない限り、互いの技術を流用して組み合わせることが可能である。
【符号の説明】
【００４１】
Ａ：板体
Ｂ：ファイル
Ｃ：立体連結構造体
１：板本体
１ａ：表面部
１ｂ：裏面部
１０：第１直線縁端部
１１：第２直線縁端部
２ａ：磁石
２ｂ：磁石
２０ａ：吸着面部
２０ｂ：吸着面部
２１ａ：吸着面部
２１ｂ：吸着面部
２２ａ：吸着縁端部
２２ｂ：吸着縁端部
３：係合部
３０：凹部
３２：凹部
３２ａ：凹部
３１：凸部
３３：凸部
３３ａ：凸部
４ａ：嵌合凹部
４ｂ：嵌合凹部
４０ａ：開放部
４０ｂ：開放部
Ｓ：隙間
Ｌ１：線
【要約】
台紙を確実に保持できる機能を備えると共に、台紙の増減や台紙の着脱の容易性が向上し、その上で、他の製品としての利用。板本体の嵌合凹部に対して係合部を介して磁石が嵌合され、係合部は、嵌合凹部における開放部から磁石が抜けないように保持する。【図１】
0006936542.tif 000002
【図２】
0006936542.tif 000003
【図３】
0006936542.tif 000004
【図４】
0006936542.tif 000005
【図５】
0006936542.tif 000006
【図６】
0006936542.tif 000007
【図７】
0006936542.tif 000008
【図８】
0006936542.tif 000009
【図９】
0006936542.tif 000010
【図１０】
0006936542.tif 000011